(57)【要約】      （修正有）【課題】暖冷房機器等によるエネルギー資源の消費を抑える下地固定用ブラケットを提供する。【解決手段】Ｌ字金具１４が断熱性部材を介して台座１６に取り付けられている。建築物のコンクリート壁２２に固定された下地固定用ブラケット１０において、Ｌ字金具１４はアンカーボルト１８によりコンクリート壁２２に固定されている。このとき、アンカーボルト１８は断熱性部材の空洞部に装着されＬ字金具１４に接していないため、Ｌ字金具１４の温度はコンクリート壁２２に伝わらない。さらに、Ｌ字金具用台座１６は所定の厚さを有し、Ｌ字金具１４とコンクリート壁２２とは一定の距離離れて固定されるため、Ｌ字金具１４の温度はコンクリート壁２２に伝わらない。これにより、建築物の室内が外気温度の影響を受けないようにすることができ、室内の冷暖房を行う際、外気温度の変化によって増大するエネルギー資源の消費を抑えることができる。【選択図】図２
2012219523.tif 000002
【特許請求の範囲】
【請求項１】
略筒状に形成された断熱性部材と、その断熱性部材が貫通可能な孔部を有するＬ字金具と、前記断熱性部材を嵌入する貫通孔部が形成され所定の厚さを有するＬ字金具用台座とを備え、前記断熱性部材が筒状の脚部とその脚部の上部に形成される断熱部とからなるものであり、前記Ｌ字金具用台座に前記Ｌ字金具をその両孔部が連通するように取り付け、当該連通する両孔部に前記断熱性部材の脚部を挿入して形成されることを特徴とする下地固定用ブラケット。
【発明の詳細な説明】
【技術分野】
【０００１】
本発明は、下地を建築物の壁に固定するための下地固定用ブラケットに関するものである。
【背景技術】
【０００２】
建築物の外壁工事では、建築物を風雨から守る外装用パネル等の外装材を下地に取り付ける工事が行われる。下地は、アングル材（山形鋼）等の下地金属を縦横に組んだ骨組みであり、格子状に組まれる。また、下地は、Ｌ字状のブラケット（Ｌ字金具）を介してアンカーボルトで建築物のコンクリート壁に固定される（例えば、特許文献１）。
【先行技術文献】
【特許文献】
【０００３】
【特許文献１】実公平６−７１４０号公報（図２、図３）
【発明の概要】
【発明が解決しようとする課題】
【０００４】
特許文献１の外装用パネルでは、下地の縦材はブラケット（Ｌ字金具）を介してアンカーボルトで建築物のコンクリート壁に固定されている。
外装用パネルの温度（表面温度）は、夏であれば６０℃〜１００℃程度になり、冬であればマイナス温度にもなる。
特許文献１に記載のブラケットによると、外装用パネルの温度は、金属のブラケットおよびアンカーボルトを介して建築物のコンクリート壁に伝わる。すなわち、夏は、外装用パネルの温度がコンクリート壁を通じて建築物室内に伝わり、建築物の室内温度が上昇する。冬は、室内温度が低下する。この場合、暖冷房機器等を用いて室内を一定の温度に保つようにすると、電気、ガス、灯油等のエネルギー資源の消費が増大する。このようにＬ字金具からなる従来のブラケットは、エネルギー資源を消費する欠点があった。
【０００５】
本発明は、上記欠点を解決するものであって、暖冷房機器等によるエネルギー資源の消費を抑える下地固定用ブラケットを提供することを目的とするものである。
【課題を解決するための手段】
【０００６】
本発明の下地固定用ブラケットは、略筒状に形成された断熱性部材と、その断熱性部材が貫通可能な孔部を有するＬ字金具と、前記断熱性部材を嵌入する貫通孔部が形成され所定の厚さを有するＬ字金具用台座とを備え、前記断熱性部材が筒状の脚部とその脚部の上部に形成される断熱部とからなるものであり、前記Ｌ字金具用台座に前記Ｌ字金具をその両孔部が連通するように取り付け、当該連通する両孔部に前記断熱性部材の脚部を挿入して形成されるようにしたものである。
【発明の効果】
【０００７】
本発明の下地固定用ブラケットは、外装用パネルの温度が建築物のコンクリート壁に伝わることを遮断するものである。これにより、建築物の室内が外気温度の影響を受けないようにすることができ、暖冷房機器等の暖房又は冷房に要するエネルギー資源の消費を抑えることができる。
【図面の簡単な説明】
【０００８】
【図１】本発明の下地固定用ブラケットの構成部を表わす図である。
【図２】図１の下地固定用ブラケットを用いて下地を固定した状態を表わす図である。
【発明を実施するための形態】
【０００９】
本発明は、外装用パネルの温度が建築物のコンクリート壁に伝わることを遮断することを実現するものである。
【実施例】
【００１０】
本発明の下地固定用ブラケットを図に基づいて説明する。図１は、本発明の下地固定用ブラケットの構成部を表わす図である。図２は、図１の下地固定用ブラケットを用いて下地を固定した状態を表わす図である。
本発明の下地固定用ブラケット１０は、略筒状の断熱性部材１２と、断熱性部材１２が貫通可能な孔部１４ａを有するＬ字金具１４と、断熱性部材１２を嵌入する貫通孔部１６ａを有するＬ字金具用台座１６とを備える。Ｌ字金具１４は、金属板をＬ字状に曲折したＬ字型断面の取付金具であり、特許文献１に記載のＬ字状のブラケットと同じものである。Ｌ字金具１４が下地に固定される一片１４ｂには、ネジ等の固定手段を打ち込む穴部１４ｃが数個形成されており、他片１４ｄの中央部に孔部１４ａが形成されている。
【００１１】
断熱性部材１２は、筒状の脚部１２ａと、その脚部１２ａの上部に形成される断熱部１２ｂとからなるものである。断熱部１２ｂは、脚部１２ａの上部開口部から水平方向に延出された部分であり、脚部１２ａより径大に形成されている。また、断熱性部材１２は、断熱できる素材、たとえば合成樹脂により形成されている。
図１の断熱部１２ｂの形状は、平座金と同様の形状に形成されているが、この形状に限るものではない。断熱部１２ｂは、アンカーボルト１８を装着したときにアンカーボルト１８のワッシャー１８ａがＬ字金具１４に接しないような形状および大きさに形成されるものであればよい。
【００１２】
Ｌ字金具用台座１６は、所定の厚さ（又は高さ）を有するものである。また、台座１６は、断熱できる素材、たとえば合成樹脂により形成され、その表面中央部には、貫通孔部１６ａが形成されている。
なお、図１の台座１６には、台座本体１６ｂの表面（台座１６の上面）にＬ字金具１４の一片１４ｄを装着するための金具押さえ部１６ｃが設けられている。台座本体１６ｂと金具押さえ部１６ｃとの間には隙間２０が形成されており、隙間２０にＬ字金具１４の一片１４ｄを挿入することにより、台座１６にＬ字金具１４を容易に取り付けることができるようになっている。
また、Ｌ字金具用台座１６は、Ｌ字金具１４の一片１４ｄと建築物のコンクリート壁２２（図２）との間に所定の距離を形成するスペーサであってもよく、その形状・構造は特定されるものではない。
【００１３】
続いて、下地固定用ブラケットの組立ておよび下地金具の固定方法を説明する。
Ｌ字金具用台座１６の隙間２０にＬ字金具１４の一片１４ｄを差込み、台座１６にＬ字金具１４を取り付ける（図１）。なお、取り付けた場合、Ｌ字金具１４の孔部１４ａと台座１６の貫通孔部１６ａは、連通するように設けられている。
次に、Ｌ字金具１４の孔部１４ａおよび台座１６の貫通孔部１６ａに断熱性部材１２の脚部１２ａを嵌入又は挿入する。これにより、Ｌ字金具１４は断熱性部材１２を介して台座１６に取り付けられ、下地固定用ブラケット１０が組み立てられる（図１）。
また、Ｌ字金具１４を取り付けた台座１６の裏面（台座１６の底部）を建築物のコンクリート壁面２２に当接させた状態で（図２）、断熱性部材１２の空洞部にアンカーボルト１８を挿入し打ち込むことにより、コンクリート壁２２に下地固定用ブラケット１０を固定することができる。他方、台座１６にＬ字金具１４の他の片１４ｂは、ビス等の固定部材を用いて下地２４（縦材又は横材）に固定する。これにより、下地２４は建築物のコンクリート壁２２に固定される（図２）。
なお、断熱性部材１２の脚部１２ａの長さは、当該脚部１２ａが台座１６の底面から突き出ないように設定されている。
【００１４】
建築物のコンクリート壁２２に固定された下地固定用ブラケット１０において（図２）、Ｌ字金具１４は、アンカーボルト１８によりコンクリート壁２２に固定されている。このとき、アンカーボルト１８は断熱性部材１２の空洞部に装着されＬ字金具１４に接していないため、Ｌ字金具１４の温度すなわち図示しない外装用パネルの温度は、コンクリート壁２２に伝わらない。
さらには、Ｌ字金具用台座１６は所定の厚さを有し、Ｌ字金具１４とコンクリート壁２２とは一定の距離離れて固定されるため、Ｌ字金具１４の温度はコンクリート壁２２に伝わらない、すなわち断熱される。また、台座１６を非伝熱性の素材で形成することにより、断熱効果を高めることができる。
【００１５】
本発明の下地固定用ブラケットによると、外装用パネルの温度が建築物のコンクリート壁に伝わることを遮断できる下地構造とすることができる。これにより、建築物の室内が外気温度の影響を受けないようにすることができ、室内の冷暖房を行う際、外気温度の変化によって増大するエネルギー資源の消費を抑えることができる。
【符号の説明】
【００１６】
１０  下地固定用ブラケット
１２  断熱性部材
１２ａ  脚部
１２ｂ  断熱部
１４  Ｌ字金具
１４ａ  孔部
１６  Ｌ字金具用台座
１６ａ  貫通孔部
１８  アンカーボルト
２２  コンクリート壁
２４  下地
【図１】
2012219523.tif 000003
【図２】
2012219523.tif 000004